(57)【要約】本発明は、ディストリビュータケーシング（Ｇ）のケーシング孔（Ａ〜Ｄ）内でしゅう動可能なそれぞれ３つ又はそれ以上の制御ピストン（ＳＡ〜ＳＤ）を備えたプログレッシブ形ディストリビュータであって、これらの制御ピストンが、それぞれ先行する制御ピストン（ＳＡ〜ＳＤ）のケーシング孔（Ａ〜Ｄ）の２つの環状溝（Ｒ）のうちのそれぞれ１つを介して所定の潤滑剤量（ＶＳＡ〜ＶＳＤ）をそれぞれ排出しながら、ケーシングインレット（Ｅ）を介して圧力下にある潤滑剤によって交互に、所属のケーシング孔（Ａ〜Ｄ）内の両終端位置に押し付けられるようになっており、複数の制御ピストン（ＳＡ〜ＳＤ）は、先行する制御ピストン（ＳＡ〜ＳＤ）のピストン運動が完全に終了するか又はほぼ終了してから、次の制御ピストン（ＳＡ〜ＳＤ）が潤滑剤によってしゅう動せしめられるように、それぞれ２つの環状溝（Ｒ）に基づいて連続的に潤滑剤によって制御されるようになっており、この場合、ケーシング孔（Ａ〜Ｄ）が中央孔（Ｍ）を介してインレット（Ｅ）に接続されており、環状溝（Ｒ）及び端面側が同じ側に位置する制御ピストンにおいて、即ち環状溝（Ｒ）及び端面側が異なる側に位置する制御ピストン（ＳＤ）を除いて、それぞれ１つの流路（Ｋ１〜Ｋ８）が、先行する制御ピストン（ＳＡ〜ＳＤ）のそれぞれのケーシング孔（Ａ〜Ｄ）の環状溝（Ｒ）を、後続の制御ピストン（ＳＡ〜ＳＤ）の各ケーシング孔（Ａ〜Ｄ）に接続するようになっている形式のものに関する。この場合、それぞれ１つの接続流路（Ｖ１〜Ｖ８）がすべての又は少なくとも複数のケーシング孔（Ａ〜Ｄ）を、少なくとも一方が軸方向で調節可能及び／又は交換可能である２つのストッパ（ＡＳ１〜ＡＳ８）間で潤滑剤によって往復移動せしめられる調量ピストン（ＤＡ〜ＤＤ）の、それぞれ所属の孔（ＢＡ〜ＢＤ）の端面側に互いに接続するようになっており、それぞれ１つの制御ピストン（ＳＡ〜ＳＤ）に配属された調量ピストン（ＤＡ〜ＤＤ）のしゅう動抵抗が、それぞれ後続の制御ピストン（ＳＡ〜ＳＤ）のしゅう動抵抗よりも小さくなるように構成されている。
2006508314.tif 000002
【特許請求の範囲】
【請求項１】
ディストリビュータケーシング（Ｇ）のケーシング孔（Ａ〜Ｄ）内でしゅう動可能なそれぞれ３つ又はそれ以上の制御ピストン（ＳＡ〜ＳＤ）を備えたプログレッシブ形ディストリビュータであって、これらの制御ピストンが、それぞれ先行する制御ピストン（ＳＡ〜ＳＤ）のケーシング孔（Ａ〜Ｄ）の２つの環状溝（Ｒ）のうちのそれぞれ１つを介して所定の潤滑剤量（ＶＳＡ〜ＶＳＤ）をそれぞれ排出しながら、ケーシングインレット（Ｅ）を介して圧力下にある潤滑剤によって交互に、所属のケーシング孔（Ａ〜Ｄ）内の両終端位置に押し付けられるようになっており、複数の制御ピストン（ＳＡ〜ＳＤ）は、先行する制御ピストン（ＳＡ〜ＳＤ）のピストン運動が完全に終了するか又はほぼ終了してから、次の制御ピストン（ＳＡ〜ＳＤ）が潤滑剤によってしゅう動せしめられるように、それぞれ２つの環状溝（Ｒ）に基づいて連続的に潤滑剤によって制御されるようになっており、この場合、ケーシング孔（Ａ〜Ｄ）が中央孔（Ｍ）を介してインレット（Ｅ）に接続されており、環状溝（Ｒ）及び端面側が同じ側に位置する制御ピストンにおいて、即ち環状溝（Ｒ）及び端面側が異なる側に位置する制御ピストン（ＳＤ）を除いて、それぞれ１つの流路（Ｋ１〜Ｋ８）が、先行する制御ピストン（ＳＡ〜ＳＤ）のそれぞれのケーシング孔（Ａ〜Ｄ）の環状溝（Ｒ）を、後続の制御ピストン（ＳＡ〜ＳＤ）の各ケーシング孔（Ａ〜Ｄ）に接続するようになっており、この場合、それぞれ１つの接続流路（Ｖ１〜Ｖ８）がすべての又は少なくとも複数のケーシング孔（Ａ〜Ｄ）を、少なくとも一方が軸方向で調節可能及び／又は交換可能である２つのストッパ（ＡＳ１〜ＡＳ８）間で潤滑剤によって往復移動せしめられる調量ピストン（ＤＡ〜ＤＤ）の、それぞれ所属の孔（ＢＡ〜ＢＤ）の端面側に互いに接続するようになっており、それぞれ１つの制御ピストン（ＳＡ〜ＳＤ）に配属された調量ピストン（ＤＡ〜ＤＤ）のしゅう動抵抗が、それぞれ後続の制御ピストン（ＳＡ〜ＳＤ）のしゅう動抵抗よりも小さいことを特徴とする、しゅう動可能なピストンを備えたプログレッシブ形ディストリビュータ。
【請求項２】
各調量ピストン（ＤＡ〜ＤＤ）のしゅう動抵抗が、これらの調量ピストンに配属された制御ピストン（ＳＡ〜ＳＤ）のしゅう動抵抗よりも小さい、請求項１記載のプログレッシブ形ディストリビュータ。
【請求項３】
各調量ピストン（ＤＡ〜ＤＤ）のしゅう動抵抗が、Ｏリング装置及び／又は嵌め込みによって調節されるか、若しくは調節可能である、請求項１又は２記載のプログレッシブ形ディストリビュータ。
【請求項４】
各調量ピストン（ＤＡ〜ＤＤ）が、それぞれ所属の制御ピストン（ＳＡ〜ＳＤ）よりも大きい作用面を有している、請求項１から３までのいずれか１項記載のプログレッシブ形ディストリビュータ。
【請求項５】
各調量ピストン（ＤＡ〜ＤＤ）が、これらの各調量ピストン（ＤＡ〜ＤＤ）に配属された制御ピストン（ＳＡ〜ＳＢ）に対して軸平行に配置されていて、ディストリビュータケーシング（Ｇ）の、インレット（Ｅ）に配属された側に位置しており、即ち後続のインレット（Ｅ）に位置する制御ピストン（ＳＡ）でその調量ピストン（ＤＡ）が前記インレットから最も遠くに位置している制御ピストン（ＳＡ）以外の、インレット（Ｅ）に配属された側に位置している、請求項１から４までのいずれか１項記載のプログレッシブ形ディストリビュータ。
【請求項６】
ストッパ（ＡＳ１〜ＡＳ８）が、ディストリビュータケーシング（Ｇ）の一方側で、所属のアウトレット（Ａ１〜Ａ８）のアウトレット開口に直接隣接して配置されている、請求項１から５までのいずれか１項記載のプログレッシブ形ディストリビュータ。
【請求項７】
ディストリビュータケーシング（Ｇ）の互いに反対側の端面側において、それぞれ２番目のアウトレット（Ａ１〜Ａ８）と、それぞれ２番目の所属のストッパ（ＡＳ１〜ＡＳ８）と、制御ピストン（ＳＡ〜ＳＤ）のためのそれぞれ所属のケーシング孔（Ａ〜Ｄ）とが、互いに配属されたアウトレット（Ａ１〜Ａ８）とストッパ（ＡＳ１〜ＡＳ８）と制御ピストン（ＳＡ〜ＳＤ）のためのケーシング孔（Ａ〜Ｄ）とが互いに直接隣接し合って位置するように、３列のうちのそれぞれ一列に配置されている、請求項１から７までのいずれか１項記載のプログレッシブ形ディストリビュータ。
【請求項８】
アウトレット（Ａ１〜Ａ８）のアウトレット開口にそれぞれ１つの逆止弁（ＲＶ１〜ＲＶ８）が配属されている、請求項１から７までのいずれか１項記載のプログレッシブ形ディストリビュータ。
【発明の詳細な説明】
【技術分野】
【０００１】
本発明は、ディストリビュータケーシングのケーシング孔内でしゅう動可能なそれぞれ３つ又はそれ以上の制御ピストンを備えたプログレッシブ形ディストリビュータであって、これらの制御ピストンが、それぞれ先行する制御ピストンのケーシング孔の２つの環状溝のうちのそれぞれ１つを介して所定の潤滑剤量をそれぞれ排出しながら、ケーシングインレットを介して圧力下にある潤滑剤によって交互に、所属のケーシング孔内の両終端位置に押し付けられるようになっており、複数の制御ピストンは、先行する制御ピストンのピストン運動が完全に終了するか又はほぼ終了してから、次の制御ピストンが潤滑剤によってしゅう動せしめられるように、それぞれ２つの環状溝に基づいて連続的に潤滑剤によって制御されるようになっており、この場合、ケーシング孔が中央孔を介してインレットに接続されており、環状溝及び端面側が同じ側に位置する制御ピストンにおいて、即ち環状溝及び端面側が異なる側に位置する制御ピストンを除いて、それぞれ１つの流路が、先行する制御ピストンのそれぞれのケーシング孔の環状溝を、後続の制御ピストンの各ケーシング孔に接続するようになっている形式のものに関する。
【０００２】
このような形式のプログレッシブ形ディストリビュータは、ドイツ連邦共和国特許第３４０５６９０号明細書により公知である。このようなプログレッシブ形ディストリビュータにおいて、特に、少量の潤滑剤によって潤滑されるべき、機械の箇所、又は頻繁に例えば毎日、毎週或いは毎月保守すべき個別の潤滑箇所においても、プログレッシブ形ディストリビュータに付加的な機能を備え、それによって新たに使用可能にするために、各接続流路が、少なくとも１つのケーシング孔（すべてのケーシング孔ではない）の各端面側を、補助ピストンが２つのストッパ間で潤滑剤によって往復移動可能に配置されている補助シリンダの孔のそれぞれ一方の端面側に接続するようになっており、この場合、少なくとも１つのピストンが、補助ピストンが抗して働くアウトレット圧力よりも高いアウトレット圧力に抗して作業する必要があり、この場合、より高いアウトレット圧力を生ぜしめるために、相応のアウトレットに、対抗圧力を有する逆止弁又はオーバーフロー弁が配属されている。選択的な解決策によれば、対抗圧力を有する逆止弁又はオーバーフロー弁を配置する代わりに、補助ピストンが少なくとも１つの周方向溝を有しており、この周方向溝が補助ピストンの両終端位置においてのみピストンのアウトレットを開放するようになっている。このような形式のプログレッシブ形ディストリビュータにおいては、各ピストン（これらのピストンのケーシング孔に補助シリンダが接続されている）は、一方の端面側が負荷されることによって一方側から他方側へしゅう動せしめられ、このピストンに配属されたアウトレットから、ピストンの反対側から押し退けられた潤滑剤量が排出されるだけでなく、一方の終端位置から他方の終端位置へ補助ピストンをしゅう動させることによっても、補助シリンダの自由容積に相当する付加的な潤滑剤量が排出される。１つの解決策においては、補助シリンダの全容積が空にされるまで、各ピストンのしゅう動シリンダは停止する。何故ならば、これらの別のピストンのうちの少なくとも１つは、摩擦損失を考慮しながら補助ピストンを克服するアウトレット圧力よりも高いアウトレット圧力に抗してしゅう動する必要があるからである。別の解決策では、補助ピストンがその一方の終端位置から他方の終端位置へしゅう動せしめられて、その周方向溝がしゅう動サイクルを継続させるために必要なアウトレットを開放するまで、補助ピストンは、ピストンのしゅう動サイクルを継続させるために必要なアウトレットを遮断する。第１の解決策は、ピストンが連続ストロークで可変である、という利点を有している。第２の解決策は、すべての圧力比において機能的に確実に作業するという利点を有している。何故ならば、ピストンの互いに反対側の少なくとも２つのアウトレットにおいて高められた対抗圧力が発生しないからである。どちらの解決策においても、１つの補助シリンダを備えたプログレッシブ形ディストリビュータが液圧式のタイミング回路として働き、この場合、しゅう動サイクルを継続させるための時間の遅延が、補助シリンダの容積によって規定可能であるか又は規定されている。
【０００３】
本発明の課題は、プログレッシブ形ディストリビュータを改良して、構造的に安価な費用で、かつ確実な操作で、すべてのアウトレット又は少なくとも複数のアウトレットから、種々異なる潤滑剤容積を排出させることができるようなものを提供することである。
【０００４】
この課題を解決した本発明によれば、それぞれ１つの接続流路がすべての又は少なくとも複数のケーシング孔を、少なくとも一方が軸方向で調節可能及び／又は交換可能である２つのストッパ間で潤滑剤によって往復移動せしめられる調量ピストンの、それぞれ所属の孔の端面側に互いに接続するようになっており、それぞれ１つの制御ピストンに配属された調量ピストンのしゅう動抵抗が、それぞれ後続の制御ピストンのしゅう動抵抗よりも小さいことを特徴としている。
【０００５】
有利には、各調量ピストンのしゅう動抵抗は、これらの調量ピストンに配属された制御ピストンのしゅう動抵抗よりも小さい。
【０００６】
調量ピストンのしゅう動抵抗のための規定値は、調量ピストンの、潤滑圧力で負荷された端面であり、ひいては調量ピストンがしゅう動する孔の横断面である。しかしながら特に、各調量ピストンのしゅう動抵抗は、Ｏリング装置及び／又は嵌め込みによって調節されるか、若しくは調節可能である。
【０００７】
各調量ピストンが、これらの各調量ピストンに配属された制御ピストンに対して軸平行に配置されていて、ディストリビュータケーシングの、インレットに配属された側に位置しており、即ち後続のインレットに位置する制御ピストンでその調量ピストンが前記インレットから最も遠くに位置している制御ピストン以外の、インレットに配属された側に位置していれば、本発明によるプログレッシブ形ディストリビュータの構造的に良好な配置が得られる。
【０００８】
ストッパが、ディストリビュータケーシングの一方側で、所属のアウトレットのアウトレット開口に直接隣接して配置されていれば、簡単な操作性を得るために有利である。
【０００９】
この場合特に、ディストリビュータケーシングの互いに反対側の端面側において、それぞれ２番目のアウトレットと、それぞれ２番目の所属のストッパと、制御ピストンのためのそれぞれ所属のケーシングとが、互いに配属されたアウトレットとストッパと制御ピストンのためのケーシング孔とが互いに直接隣接し合って位置するように、３列のうちのそれぞれ一列に配置されている。
【００１０】
プログレッシブ形ディストリビュータの不都合な接続及び／又は汚れを避けるために、アウトレットのアウトレット開口にそれぞれ１つの逆止弁が配属されている。
【００１１】
図１は、本発明を実現するプログレッシブ形ディストリビュータの１実施例の概略的な断面図、
図２は、ディストリビュータケーシングを端面側から見た概略図である。
【００１２】
図１に示した実施例は、ディストリビュータケーシングＧを備えたプログレッシブ形ディストリビュータに関する。ディストリビュータケーシングＧ内のケーシング孔Ａ〜Ｄ内には４つの制御ピストンＳＡが配置されており、これらの制御ピストンＳＡによって、インレットＥを介して、例えば（図示していない）ポンプによって中央孔Ｍに供給された潤滑剤が往復移動可能である。ケーシング孔Ａ〜Ｄ若しくは制御ピストンＳＡ〜ＳＤには、８つ（各側にそれぞれ４つ）のアウトレットＡ１からＡ８が配属されている。各制御ピストンＳＡ〜ＳＤは、軸方向で互いに間隔を保った２つの環状溝Ｒを有している。ケーシング孔Ａ〜Ｄのそれぞれの端面側は、流路Ｋ１〜Ｋ８を介して、それぞれ先行するケーシング孔Ａ〜Ｄの相応の制御ピストンＳＡ〜ＳＤの環状溝Ｒと接続流路を形成している。この場合、最上位にある３つのケーシング孔Ａ〜Ｃのために、環状溝Ｒの領域と後続のケーシング孔Ｄの端面側とは、（図平面に対して垂直で、上方から下方に延びる）縦中心平面の同一側に位置している。しかしながら、最下位にある制御ピストンＳＤのケーシング孔Ｄは、環状溝Ｒの領域内の流路Ｋ１及びＫ２を介して、それぞれ最上位の制御ピストンＳＡのケーシング孔Ａの、前記縦中心平面に関連して前記端面側とは反対側の端面側と接続流路を形成している。アウトレットＡ１〜Ａ８はそれぞれ、ケーシング孔Ａ〜Ｄ及びそれぞれ先行する制御ピストンＳＡ〜ＳＤの環状溝Ｒを介してガイドされている。ケーシング孔Ａ〜Ｄはすべて、中央孔Ｍを介してインレットＥに接続されている。このような形式で、制御ピストンＳＡ〜ＳＤは、一方の端面側で供給された潤滑剤の作用を受けながら、また他方の端面側でアウトレットＡ１〜Ａ８のうちの１つを介して所定の潤滑剤容積ＶＳＡ〜ＶＳＤを排出しながら、そのケーシング孔Ａ〜Ｄの両終端位置に交互に押し付けられるようになっている。それぞれ次の制御ピストンＳＡ〜ＳＤは、先行する制御ピストンＳＡ〜ＳＤのピストン運動が完全に又はほぼ終了すると、それぞれ次の制御ピストンＳＡ〜ＳＤが押し出された潤滑剤によってしゅう動せしめられる。
【００１３】
それぞれ１つの接続流路Ｖ１〜Ｖ８は、ケーシング孔Ａ〜Ｄの各端面側を、所属の孔ＢＡ〜ＢＤの、２つの端部側のストッパＡＳ１〜ＡＳ８を備えたそれぞれの端面側に接続する。これらのストッパＡＳ１〜ＡＳ８のうちのそれぞれ少なくとも１つが軸方向で調節可能及び／又は交換可能である。孔ＢＡ〜ＢＤ内では、それぞれ１つの調量ピストンＢＡ〜ＢＤが潤滑剤によってストッパＡＳ１〜ＡＳ８間で往復移動可能である。この場合、制御ピストンＳＡ〜ＳＤに配属されたそれぞれの調量ピストンＤＡ〜ＤＤのしゅう動抵抗は、それぞれ後続の制御ピストンＳＡ〜ＳＤのしゅう動抵抗よりも小さい。さらに、各調量ピストンＤＡ〜ＤＤのしゅう動抵抗は、これらの調量ピストンＤＡ〜ＤＤに配属された制御ピストンＳＡ〜ＳＤのしゅう動抵抗よりも小さい。図示の実施例では、各調量ピストンＤＡ〜ＤＤのしゅう動抵抗は、所属の孔ＢＡ〜ＢＤ内に嵌め込むことによって得られる。この場合、各調量ピストンＤＡ〜ＤＤは、それぞれ所属の制御ピストンＳＡ〜ＳＤよりも大きい端面側の作用面を有している。しゅう動装置は、各調量ピストンＤＡ〜ＤＤにおけるＯリング装置によっても調節することができる。
【００１４】
図示の実施例では、各調量ピストンＤＡ〜ＤＤは、これらの調量ピストンに配属された制御ピストンＳＡ〜ＳＤに対して軸線平行に、かつインレットＥが配属されたディストリビュータケーシングの側に設けられているが、この場合、インレットＥの隣に配置され、かつその調量ピストンＤＡがインレットＥから最も遠くに位置している制御ピストンＳＡは除外する。
【００１５】
図２に示されているように、ディストリビュータケーシングＧの互いに反対側には、それぞれ２番目のアウトレットＡ１〜Ａ８、２番目の所属のストッパＡＳ１〜ＡＳ８、制御ピストンＳＡ〜ＳＤのための所属のケーシング孔Ａ〜Ｄの各開口が、それぞれ３列のうちの一列に配置されていて、それによって、互いに対応配置されたアウトレットＡ１〜Ａ８、ストッパＡＳ１〜ＡＳ８、制御ピストンＳＡ〜ＳＤのためのケーシング孔Ａ〜Ｄが、互いに隣接配置されて操作し易くなっている。
【００１６】
図１に示されているように、アウトレットＡ１〜Ａ８のアウトレット開口に、それぞれ１つの逆止弁ＲＶ１〜ＲＶ８が配属されている。
【００１７】
例えば、図１に示された位置において、制御ピストンＳＡ〜ＳＤ及び調量ピストンＤＡ〜ＤＤによって、潤滑剤がインレットＥを介して中央孔Ｍ内に供給されると、この潤滑剤は、制御ピストンＳＡ及び流路Ｋ８を介して、制御ピストンＳＢの右側に達し、接続流路Ｖ８を介して調量ピストンＤＢの右側の端面側に達する。従って調量ピストンＤＢの右側の端面側は、そのそれぞれの孔Ｂ若しくはＢＢ内で左方向に移動せしめられる。それぞれの押し退けられた潤滑剤容積ＶＳＢ若しくはＶＤＢは、接続流路Ｖ７に基づいて流路Ｋ７及び制御ピストンＳＡの左側の環状溝Ｒを介して、アウトレットＡ７において排出される。調量ピストンＤＢによって押し退けられる潤滑剤容積は、ストッパＡＳ７の可変な軸方向位置によって規定されるようになっているので、可変である。
【００１８】
制御ピストンＳＢも調量ピストンＤＢも、左方向に向かって可能な限り大きくしゅう動せしめられると、次の制御ピストンＳＢ及び流路Ｋ６の対応する環状溝を介して、制御ピストンＳＣ及び調量ピストンＤＣのしゅう動させながら同じ隙間が連続する。すべての制御ピストンＳＡ〜ＳＤ及び調量ピストンＤＡ〜ＤＤが左方向に手動せしめられると直ちに、流路Ｋ１及びＫ２が、制御ピストンＳＤの、それぞれ反対側の環状溝Ｒに切り替わることに基づいて、すべてのピストンの運動が逆転する。
【００１９】
言うまでもなく、左側でも可変な押し退け潤滑剤容積を設けるために、調量ピストンＤＡ〜ＤＤのための、図面で孔ＢＡ〜ＢＤのそれぞれ右側にも調節可能なストッパを設けることができる。
【図面の簡単な説明】
【００２０】
【図１】本発明を実現するプログレッシブ形ディストリビュータの１実施例の概略的な断面図である。
【図２】ディストリビュータケーシングを端面側から見た概略図である。
【符号の説明】
【００２１】
Ａ〜Ｄ  制御ピストンＳＡ〜ＳＤのためのケーシング孔
Ａ１〜Ａ８  アウトレット
ＡＳ１〜ＡＳ８  ストッパ
ＢＡ〜ＢＤ  調量ピストンＤＡ〜ＤＤの孔
ＤＡ〜ＤＤ  調量ピストン
Ｅ  インレット
Ｇ  ディストリビュータケーシング
Ｋ１〜Ｋ８  流路
Ｍ  中央孔
Ｒ  環状溝
ＲＶ１〜ＲＶ８  逆止弁
ＳＡ〜ＳＤ  制御ピストン
Ｖ１〜Ｖ８  接続流路
ＶＤＡ〜ＶＤＤ  潤滑剤容積（調量ピストン）
ＶＳＡ〜ＶＳＤ  潤滑剤容積（制御ピストン）
【図１】
2006508314.tif 000003
【図２】
2006508314.tif 000004
【国際調査報告】
2006508314.tif 000005
2006508314.tif 000006
2006508314.tif 000007
2006508314.tif 000008
2006508314.tif 000009
2006508314.tif 000010